(57)【要約】      （修正有）【課題】手ぶれ防止レンズモジュールの構造を提供する。【解決手段】蓋板１１、ベース台１２、可動部１３、弾性部品１４、四組の上端磁石１５、四組の下端磁石１６、四組の駆動コイル１７、回路基板１８で構成する。蓋板１１に穴１１１を設け、蓋板１１をベース台１２に結合させ、中央部分に収納スペース１２１を形成し、可動部１３の中に撮像光軸９を定義し、撮像光軸９とＺ軸は平行し、穴１１１を通じて映像のキャプチャを行う。弾性部品１４を可動部１３の外回りの中央部分に設置し、可動部１３を弾性的に収納スペース１２１の中に咬合して固定し、上端磁石１５は可動部１３の外回りに設け、弾性部品１４の上方部に位置する。下端磁石１６は可動部１３の外回りに、弾性部品１４の下方部に位置し、上端磁石１５と互いに対応する。駆動コイル１７はそれぞれ該上/下端磁石１５、１６と相互に対応し、可動部１３の外回りに設ける。回路基板１８に回路ループを設け、駆動コイル１７と電気接続する。【選択図】図１
0003207632.tif 000002
【実用新案登録請求の範囲】
【請求項１】
一つの蓋板、一つのベース台、一つの可動部、一つの弾性部品、四組の上端磁石、四組の下端磁石、四組の駆動コイル、一つの回路基板を含み、
該蓋板は一つの穴を具有し、
該ベース台は該蓋板を該ベース台の上に結合させるものであり、且つ中央部分に一つの収納スペースを形成し、
該可動部の中に一つの撮像光軸を定義し、且つ該撮像光軸と該Ｚ軸は平行し、且つ該穴を通じて映像のキャプチャを行い、
該弾性部品を該可動部の外回りの中央部分に設置し、且つ該可動部を該収納スペースの中に弾性的に咬合して固定し、
該四組の上端磁石は平均して該可動部の外回りに設置し、且つ該弾性部品の上方部に位置し、
該四組の下端磁石は平均して該可動部の外回りに設置し、且つ該弾性部品の下方部に位置し、且つそれぞれ該上端磁石と二つ二つ互いに対応し、
該四組の駆動コイルはそれぞれ該上/下端磁石と相互に対応し、且つ平均して四辺形と互いに対応する方法で、該可動部の外回りに設け、及び、
該回路基板に含まれるのは一つの回路ループであり、且つそれぞれ該四組の駆動コイルと電気接続することを特徴とする手ぶれ防止レンズモジュールの構造。
【請求項２】
前記可動部に含まれるのは、一つのレンズ積載台及び一つのレンズであり、其の中、該レンズは該撮像光軸の上に位置し、且つ該レンズ積載台の中に設置することを特徴とする請求項１記載の手ぶれ防止レンズモジュールの構造。
【請求項３】
前記更に一つのケース本体を含み、該ケース本体は一つの貫通穴を具有し、且つ該蓋板と該ベース台を覆うほか、且つ該貫通穴と該穴は互いに対応し、且つ同一の撮像光軸の上に位置することを特徴とする請求項１記載の手ぶれ防止レンズモジュールの構造。
【請求項４】
前記該可動部の外回りに設置し、且つそれぞれ該弾性部品の上下方に位置する該複数の上端磁石及び該複数の下端磁石の極性がちょうど反対であり、且つ該複数の上端磁石及び複数の下端磁石のそれぞれ左右となりの磁石の排列は反対であることを特徴とする請求項１記載の手ぶれ防止レンズモジュールの構造。
【請求項５】
前記レンズ積載台の外回りに含まれるのは、四組の上固定台、四組の下固定台及び少なくとも一つの固定凸ブロックであり、其の中、四組の上固定台はそれぞれ四組の下固定台と相互対応且つ該レンズ積載台の外回りに設け、それぞれ該上端磁石及び該下端磁石を固定するために用い、其の中、該固定凸ブロックは該弾性部品を固定するために用いることを特徴とする請求項２記載の手ぶれ防止レンズモジュールの構造。
【請求項６】
前記固定凸ブロックは四組でそれぞれ該上固定台と下固定台の中央部分に位置することを特徴とする請求項５記載の手ぶれ防止レンズモジュールの構造。
【請求項７】
前記回路ループが更に含むのは四組の駆動器、及び一つの制御ユニットであり、其の中、四組の駆動器はそれぞれ四組の駆動コイルを接続し、そして更に別々に該制御ユニットに電気接続し、該制御ユニットを通じて、それぞれ該四組の駆動コイルに電流を制御提供することができ、少なくともそれぞれ対応する該四組の上端磁石と該四組の下端磁石を制御することを介し、Ｘ軸及びＹ軸の傾斜角度の修正を行うことを特徴とする請求項１記載の手ぶれ防止レンズモジュールの構造。
【請求項８】
更に第一センサー及び第二センサーを含み、
該第一センサーは該複数の駆動コイルの中の一つの中央空洞部分に設置し、且つ該回路ループの該制御ユニットと電気接続し、及び、
該第二センサーは別の該駆動コイルの中央空洞部分に設置し、且つ該回路ループの該制御ユニットと電気接続し、且つ該第一センサーの隣辺に位置することを特徴とする請求項７記載の手ぶれ防止レンズモジュールの構造。
【請求項９】
更に第一センサー及び第二センサーを含み、
該第一センサーは該複数の駆動コイルの中の一つの中央空洞部分に設置し、且つ該回路ループの該制御ユニットと電気接続し、及び、
該第二センサーは別の該駆動コイルの中央空洞部分に設置し、且つ該回路ループの該制御ユニットと電気接続し、且つ該第一センサーの対辺に位置することを特徴とする請求項７記載の手ぶれ防止レンズモジュールの構造。
【請求項１０】
前記回路ループは一つの外部回路を通じて該制御ユニットにまで電気接続し、且つそれぞれ四組の駆動コイルの電流の量及び方向を制御し、其の中、該外部回路は携帯電話、タブレット及びノート型パソコンのうちの一つとすることができることを特徴とする請求項７記載の手ぶれ防止レンズモジュールの構造。
【考案の詳細な説明】
【技術分野】
【０００１】
本考案は、手ぶれ防止レンズモジュールの構造に関し、特にレンズモジュールが振動する際に生じるフォーカス或いは焦点ズレを改善する手ぶれ防止レンズモジュールの構造に関する。
【背景技術】
【０００２】
テクノロジーの進歩により、デジタルカメラの体積はますます小さくなり、現在多くの小型電子装置、例えば携帯電話はほぼデジタルカメラの機能を備えている。
これらは、いずれもレンズモジュールのマイクロ化のおかげである。しかし、目下採用しているマイクロ型レンズを最も多く使用されているのはボイスコイルモータ（ＶＣＭ）である。それはコイル磁石及び弾性シートの組合せを利用し、一つのレンズを搭載して撮像光軸の方向に前後移動することで、自動的に焦点を合わす或いは変更する機能に達する。
また、撮像の品質及び機能に対する要求も次第に高くなってきた。例えば：千万画素、手ぶれ防止などの機能、更にハイレベルのカメラとローレベルの違いを区別する。
【０００３】
一つのレンズモジュール及び映像補償モジュールが構成する光学システムにおいて、例えばカメラ或いはビデオカメラなどの光学システムにおいて、常に外力の要素、或いはカメラ或いはビデオカメラを手に持ったときに震えるために、光のルートが振動変位することで、映像補償モジュールでの撮像が不安定になり、それによって撮影した映像がぼやける。
頻繁に見られる解決方法としては、この類の振動により映像がぼやける現象に一つの補償メカニズムを提供することで、キャプチャした映像をクリア化にする。このような補償メカニズムはデジタル補償メカニズム、或いは光学補償メカニズムとすることができる。
【０００４】
いわゆるデジタル補償メカニズムとは、映像補償モジュールでキャプチャしたデジタル映像資料に対して分析と処理を行うことで、比較的クリアなデジタル映像を獲得することができ、このような方法も頻繁にデジタル振動防止メカニズムと呼ばれる。光学補償メカニズムについては、通常光学レンズセット或いは映像補償モジュールに振動補償装置を設置する。このような方法も頻繁に光学振動防止メカニズムと呼ばれる。
しかし、目下従来の光学振動防止メカニズムは例えばホールセンサー(Hall Sensor)を運用してレンズの変位量などを検出する。その多くは複雑或いは体積の大きい重い機械或いは部品に関わることが多いため、比較的技術が複雑で組立が困難、コストが比較的高い、或いは体積がそれ以上縮小できない欠点などを具有し、更なる改善が必要であった。
【先行技術文献】
【特許文献】
【０００５】
【特許文献１】特開２００７−３１８８５０号公報
【考案の概要】
【考案が解決しようとする課題】
【０００６】
前記公知構造の欠点を解決するため、本考案の第１の目的は、レンズモジュールの傾斜角の誤差修正を利用することで、手ぶれを防止して不良な撮影像の発生を無くす。更にホールセンサー(Hall Sensor)を使用するのを避けることで、該手ぶれ防止レンズモジュール構造のコストを大幅に下げることのできる手ぶれ防止レンズモジュールの構造を提供することにある。
本考案の第２の目的は、一つの可動部(レンズ積載台)の外回りの中央に一つの弾性部品を設置することにより、電磁力を制御することで、該可動部(レンズ積載台)が連続してフォーカスする目的に達する手ぶれ防止レンズモジュールの構造を提供することにある。
【課題を解決するための手段】
【０００７】
上述の目的を解決するために、本考案は手ぶれ防止レンズモジュールの構造を提供するものであり、それには相互垂直する一つのＸ軸、一つのＹ軸及び一つのＺ軸方向を定義し、且つ主に一つの蓋板、一つのベース台、一つの可動部、一つの弾性部品、四組の上端磁石、四組の下端磁石、四組の駆動コイル、一つの回路基板で構成する。
【０００８】
該蓋板に一つの穴を具有する。該ベース台は該蓋板を該ベース台の上に結合させるものであり、且つ中央部分に一つの収納スペースを形成する。該可動部の中に一つの撮像光軸を定義し、且つ該撮像光軸と該Ｚ軸は平行し、且つ該穴を通じて映像のキャプチャを行う。該弾性部品を該可動部の外回りの中央部分に設置し、且つ該可動部を弾性的に該収納スペースの中に咬合して固定する。
該四組の上端磁石は平均して該可動部の外回りに設置し、且つ該弾性部品の上方部に位置する。該四組の下端磁石は平均して該可動部の外回りに設置し、且つ該弾性部品の下方部に位置し、且つそれぞれ該上端磁石と二つ二つ互いに対応する。該四組の駆動コイルはそれぞれ該上/下端磁石と相互に対応し、且つ平均して四辺形と互いに対応する方法で、該可動部の外回りに設ける。
該回路基板に含まれるのは一つの回路ループであり、且つそれぞれ該四組の駆動コイルと電気接続する。該可動部に含まれるのは、一つのレンズ積載台及び一つのレンズである。該レンズは該撮像光軸の上に位置し、且つ該レンズ積載台の中に設置する。
【０００９】
つまり、該回路基板を通じて、四組の駆動コイルの電流量或いは方向を制御することで、該可動部の外回りに位置し、且つそれぞれ弾性部品の上、下部分に設置する該上、下端磁石を制御し、傾斜角度の修正補償を行うことで、手ぶれにより不良撮影の発生を無くす。
この他、電流をインプットすることを介し、四組の駆動コイルを制御し、間接的に四組の対応する上/下端磁石を駆動し、該可動部を動かし、該弾性部品の制限を受け、Ｚ軸方向に呈して該収納スペースの中で弾性可動を行う。つまりインプットする電流を制御することを介し、該可動部の連続フォーカスする目的に達することができる。
【考案の効果】
【００１０】
本考案は該回路基板を通じて、四組の駆動コイルの電流量或いは方向を制御し、且つ該上、下端磁石を制御し、傾斜角度の修正補償を行うことで、手ぶれにより不良撮影の発生を無くす。また、電流をインプットすることを介し、電流を制御することで、該可動部の連続フォーカスする目的に達する。
【図面の簡単な説明】
【００１１】
【図１】本考案の手ぶれ防止レンズモジュールの構造の第一最良実施例の立体分解略図である。
【図２】本考案の手ぶれ防止レンズモジュールの構造の第一最良実施例の立体組立略図である。
【図３Ａ】本考案の手ぶれ防止レンズモジュールの構造の第一最良実施例の俯瞰略図である。
【図３Ｂ】本考案の手ぶれ防止レンズモジュールの構造の第一最良実施例のＡ−Ａ断面略図である。
【図４】本考案の手ぶれ防止レンズモジュールの構造の第一最良実施例の回路ループの略図である。
【図５】本考案の手ぶれ防止レンズモジュールの構造の第二最良実施例の立体分解略図である。
【図６】本考案の手ぶれ防止レンズモジュールの構造の第二最良実施例の立体組立略図である。
【図７Ａ】本考案の手ぶれ防止レンズモジュールの構造の第二最良実施例の俯瞰略図である。
【図７Ｂ】本考案の手ぶれ防止レンズモジュールの構造の第二最良実施例のＢ−Ｂ断面略図である。
【図８】本考案の手ぶれ防止レンズモジュールの構造の第二最良実施例の回路ループの略図である。
【図９】本考案の手ぶれ防止レンズモジュールの構造の第三最良実施例の立体分解略図である。
【図１０】本考案の手ぶれ防止レンズモジュールの構造の第三最良実施例の立体組立略図である。
【図１１Ａ】本考案の手ぶれ防止レンズモジュールの構造の第三最良実施例の俯瞰略図である。
【図１１Ｂ】本考案の手ぶれ防止レンズモジュールの構造の第三最良実施例のＣ−Ｃ断面略図である。
【図１２】本考案の手ぶれ防止レンズモジュールの構造の第三最良実施例の回路ループの略図である。
【考案を実施するための形態】
【００１２】
以下、本考案の手ぶれ防止レンズモジュールの構造と特徴および効果を、最良実施例と図面を参照しながら詳細に説明する。
【実施例１】
【００１３】
図１、図２、図３Ａ、図３Ｂ及び図４に示すのは、図１は本考案の手ぶれ防止レンズモジュールの構造の第一最良実施例の立体分解略図である。図２は本考案の手ぶれ防止レンズモジュールの構造の第一最良実施例の立体組立略図である。図３Ａは本考案の手ぶれ防止レンズモジュールの構造の第一最良実施例の俯瞰略図である。図３Ｂは本考案の手ぶれ防止レンズモジュールの構造の第一最良実施例のＡ−Ａ断面略図である。図４は  本考案の手ぶれ防止レンズモジュールの構造の第一最良実施例の回路ループの略図である。
【００１４】
本考案は一種の手ぶれ防止レンズモジュールの構造の第一最良実施例を提供するものである。第一最良実施例の手ぶれ防止レンズモジュールの構造１において、互いに垂直に交わる一つのＸ軸、一つのＹ軸及び一つのＺ軸の方向を定義し、且つ該手ぶれ防止レンズモジュールの構造１はオープンループモードである。
それに含まれるのは一つの蓋板１１、一つのベース台１２、一つの可動部１３、一つの弾性部品１４、四組の上端磁石１５(１５ａ〜１５ｄ)、四組の下端磁石１６(１６ａ〜１６ｄ)、四組の駆動コイル１７(１７ａ〜１７ｄ)、一つの回路基板１８、及び一つのケース本体１９である。
【００１５】
該蓋板１１は一つの穴１１１を具有し、更に該蓋板１１の四隅にそれぞれ一つの結合端１１２を設ける。該ベース台１２は該蓋板１１を該ベース台１２の上に結合させるものであり、且つ中央部分に一つの収納スペース１２１を形成する。
つまり、該ベース台１２は一つの枠本体であり、且つ該ベース台１２の四隅にそれぞれ一つの固定端１２２を設けることで、該蓋板１１の四隅の結合端１１２とそれぞれ該弾性部品１４を咬合して固定するのに用いる。
【００１６】
該弾性部品１４は金属材質とすることができ、且つ一つの中空シート状構造の弾性シートを呈し、機械プレス成型或いはエッチングの方法を通じて作成される。該弾性部品１４は周辺から平均して四つの弾性固定端１４１を延伸し、且つそれぞれ該ベース台１２の四つの隅にある該固定端１２２及び該蓋板１１の四隅にある該結合端１１２と咬合して固定するために用いる。更に該可動部１３の中央を弾性的に該収納スペース１２１の中に固定する。
【００１７】
該可動部１３の中に一つの撮像光軸９を定義し、且つ該撮像光軸９と該Ｚ軸は平行し、且つ該穴を通じて映像のキャプチャを行う。該可動部１３に含まれるのは、一つのレンズ積載台１３１及び一つのレンズ１３２である。該レンズ１３２は該撮像光軸９の上に位置し、且つ該レンズ積載台１３１の中に設置する。該レンズ積載台１３１の外回りに含まれるのは、四組の上固定台１３１１、四組の下固定台１３１２及び少なくとも一つの固定凸ブロック１３１３である。
其の中、四組の固定台１３１１はそれぞれ四組の下固定台１３１２と相互対応且つ該レンズ積載台１３１の外回りに設け、それぞれ該複数の上端磁石１５(１５ａ〜１５ｄ)及び該複数の下端磁石１６(１６ａ〜１６ｄ)を固定するために用いる。そのほか、該固定凸ブロック１３１３は該弾性部品１４を固定するために用いる。該弾性部品１４を該レンズ積載台１３１の外回りの上に固定することができる。
【００１８】
本考案の第一最良実施例において、該固定凸ブロック１３１３は四組のそれぞれ該上固定台１３１１と下固定台１３１２の中央部分に位置する。更に該弾性部品１４を該可動部１３の外回りの中央部分に設置して固定する。また、更に該レンズ積載台１３１を該収納スペース１２１の中に弾性的に咬合して固定する。
【００１９】
該四組の上端磁石１５(１５ａ〜１５ｄ)は平均して該可動部１３の外回りに設置し、且つ該弾性部品１４の上方部に位置する。この他、該四組の下端磁石１６(１６ａ〜１６ｄ) は平均して該可動部１３の外回りに設置し、且つ該弾性部品１４の下方部に位置し、且つそれぞれ該複数の上端磁石１５(１５ａ〜１５ｄ)と二つ二つ互いに対応する。つまり、該複数の上端磁石１５(１５ａ〜１５ｄ)はそれぞれ該複数の上固定台１３１１の上で結合する。
該複数の下端磁石１６(１６ａ〜１６ｄ)はそれぞれ該複数の下固定台１３１２の上で結合し、且つそれぞれ該複数の上端磁石１５(１５ａ〜１５ｄ)と互いに対応し、且つ磁石の極性がちょうど反対であり、且つ該複数の上端磁石１５(１５ａ〜１５ｄ)及び複数の下端磁石１６(１６ａ〜１６ｄ)のそれぞれ左右となりの磁石の排列は反対であり、該磁石の排列はＮ/Ｓ(或いはＳ/Ｎ)である。
【００２０】
上述により、該四組の駆動コイル１７(１７ａ〜１７ｄ)はそれぞれ対応する該複数の上/下端磁石１５ａ/１６ａ〜１５ｄ/１６ｄと相互に対応し、且つ平均して四辺形と互いに対応する方法で、該可動部１３の外回りに設ける。該回路基板１８はサークル状に該四組の駆動コイル１７(１７ａ〜１７ｄ)の外側を囲む。
それに一つ回路ループ１８１を含み、且つそれぞれ該四組の駆動コイル１７(１７ａ〜１７ｄ)と電気接続する。該ケース本体１９は一つの貫通穴１９を具有し、且つ該蓋板１１と該ベース台１２の外を覆うほか、且つ該貫通穴１９と該穴１１１を互いに対応し、且つ同一の撮像光軸９の上に位置させ、且つ該撮像光軸９はＺ軸と平行する。
【００２１】
つまり、図１に示すように、四組の上端磁石１５(１５ａ〜１５ｄ)はそれぞれ四組の下端磁石１６(１６ａ〜１６ｄ)と対応する。其の中、該上、下端磁石１５ａ、１６ａ及び別端で互いに対応する該上、下端磁石１５ｃ、１６ｃはＸ軸に位置するため、特にＸ軸方向の傾斜角の誤差を修正する磁石セットであり、且つそれぞれ対応する該二つの駆動コイル１７ａ、１７ｃの電磁制御を受ける。
隣の辺に位置する別の一対の該上、下端磁石１５ｂ、１６ｂ及び別端の互いに対応する該上、下端磁石１５ｄ、１６ｄはＹ軸に位置するため、特にＹ軸方向の傾斜角の誤差を修正する磁石セットであり、且つそれぞれ対応する該二つの駆動コイル１７ｂ、１７ｄの電磁制御を受ける。
【００２２】
図４に示すのは、本考案の手ぶれ防止レンズモジュール構造の第一最良実施例の該回路ループの略図１８１である。其の中、該回路ループ１８１が更に含むのは：四組の駆動器１８２(１８２ａ〜１８２ｄ)及び一つの制御ユニット１８３である。
該四組の駆動器１８２(１８２ａ〜１８２ｄ)はそれぞれ四組の駆動コイル１７(１７ａ〜１７ｄ)に接続してから、それぞれ該制御ユニット１８３と電気接続し、更に該制御ユニット１８３を通じて、それぞれ該四組の駆動コイル１７(１７ａ〜１７ｄ)がそれぞれ対応する該四組の上/下端磁石１５ａ/１６ａ〜１５ｄ/１６ｄを制御して、Ｘ軸及びＹ軸の傾斜角度の修正を行う。或いは該可動部１３に対してＺ軸方向の変位を行う。
【００２３】
つまり、該回路基板１８に含まれる該回路ループ１８１は、一つの外部回路１００を通じて、該制御ユニット１８３と電気接続することができ、且つそれぞれ四組の駆動コイル１７(１７ａ〜１７ｄ)の電流量或いは方向を制御することで、該可動部１３の外回りに位置し、且つそれぞれ弾性部品１４の上、下部分に位置する四組の対応する上/下端磁石１５ａ／１６ａ〜１５ｄ／１６ｄを制御し、傾斜角度の修正補償を行うことで、手ぶれにより不良撮影の発生を無くす。該外部回路１００とは携帯電話、タブレット、ノート型パソコンなどが外部制御回路のうちの一つとすることができる。
【００２４】
この他、電流方向と量をインプットすることを介し、四組の駆動コイル１７（１７ａ〜１７ｄ）を制御し、間接的に四組の対応する上/下端磁石１５ａ／１６ａ〜１５ｄ／１６ｄを駆動し、該可動部１３を動かし、該弾性部品１４の制限を受け、Ｚ軸方向に呈して該収納スペース１２１の中で弾性可動を行う。つまり、該弾性部品１４自身の弾力を介し、該レンズ積載台１３１が該収納スペース１２１内にて、該撮像光軸９のＺ軸方向に沿って、予め設定した距離を前後移動することができる。且つインプットする電流を制御するだけで、該レンズ１３２の連続フォーカスの目的に達することができる。
【００２５】
更に正確に言えば、仮に該可動部１３がＸ軸にて傾斜角度の偏差がある場合、個別にＸ軸と対応する磁石について、つまり該上、下端磁石セット１５ａ、１６ａ及び別端が対応する該上、下端磁石セット１５ｃ、１６cが、それぞれ対応する二つの駆動コイル１７ａ、１７ｃを通じて、それぞれ異なる該駆動器１８２ａ、１８２ｃに電流をインプットし、且つ該レンズ積載台１３１を動かしてＸ軸方向にて傾斜角の修正を行うことで、手ぶれ補償誤差を防止する目的に達する。
逆に、仮に該可動部１３がＹ軸にて傾斜角偏差がある場合、個別にＹ軸と対応する磁石について、つまり該上、下端磁石セット１５ｂ、１６ｂ及び別端が対応する該上、下端磁石セット１５ｄ、１６ｄが、それぞれ対応する二つの駆動コイル１７ｂ、１７ｄを通じて、それぞれ異なる該駆動器１８２ｂ、１８２ｄに電流をインプットし、且つ該レンズ積載台１３１を動かしてＹ軸方向にて傾斜角の修正を行うことで、同じく手ぶれ補償誤差を防止する目的に達する。
もちろん、このＸ軸とＹ軸の傾斜角誤差は同時に該制御ユニット１８３を利用し、それぞれ該四組の駆動器１８２(１８２ａ〜１８２ｄ)を通じて、同時に四組の駆動コイル１７(１７ａ〜１７ｄ)を制御することで、Ｘ軸とＹ軸の傾斜角の誤差を修正し、また同時に該可動部１３をＺ軸方向の前後に移動し、連続フォーカスの目的に達する。
【００２６】
以下に述べる本考案のその他の最良実施例において、多くの部品が前記実施例と相同或いは類似するため、同じ部品と構造は下記に再度言及しない。また、相同する部品は直接相同の名称及び番号をつけ、類似の部品には相同の名称をつけるが、区別できるために、元の番号の後に別の英文字を付けるが、別途説明をしない。
【実施例２】
【００２７】
図５、図６、図７Ａ、図７Ｂ及び図８に示すのは、図５は本考案の手ぶれ防止レンズモジュールの構造の第二最良実施例の立体分解略図である。
図６は本考案の手ぶれ防止レンズモジュールの構造の第二最良実施例の立体組立略図である。図７Ａは本考案の手ぶれ防止レンズモジュールの構造の第二最良実施例の俯瞰略図である。図７Ｂは本考案の手ぶれ防止レンズモジュールの構造の第二最良実施例のＢ−Ｂ断面略図である。図８は  本考案の手ぶれ防止レンズモジュールの構造の第二最良実施例の回路ループの略図である。
【００２８】
本考案の第二最良実施例の手ぶれ防止レンズモジュールの構造が前記第一最良実施例と異なる点は、本考案の第二最良実施例の手ぶれ防止レンズモジュール構造１ａは、閉鎖ループモード(I)である。更に含むのは、一つの第一センサー２１、及び一つの第二センサー２２である。其の中、該第一センサー２１を該複数の駆動コイル１７の中の一つに設置し、つまり該駆動コイル１７ａの中央の空洞部分に位置し、且つ該回路ループ１８１の該制御ユニット１８３と電気接続する。
該第二センサー２２を別の一つの該駆動コイル１７ｂの中央の空洞に設置し、且つ該回路ループ１８１の該制御ユニット１８３と電気接続し、且つ該第一センサー２１の隣辺に位置する。本考案の第二最良実施例において、該第一センサー２１はＸ軸の角度傾斜センサーであり、該第二センサー２２はＹ軸の角度傾斜センサーである。
この他、該第一、第二センサー２１、２２は更に該可動部１３がＺ軸での位置を検出することができる。
【実施例３】
【００２９】
図９、図１０、図１１Ａ、図１１Ｂ及び図１２に示すのは、図９は本考案の手ぶれ防止レンズモジュールの構造の第三最良実施例の立体分解略図である。図１０は本考案の手ぶれ防止レンズモジュールの構造の第三最良実施例の立体組立略図である。
図１１Ａは本考案の手ぶれ防止レンズモジュールの構造の第三最良実施例の俯瞰略図である。図１１Ｂは本考案の手ぶれ防止レンズモジュールの構造の第三最良実施例のＣ−Ｃ断面略図である。図１２は本考案の手ぶれ防止レンズモジュールの構造の第三最良実施例の回路ループの略図である。
【００３０】
本考案の第三最良実施例の手ぶれ防止レンズモジュールの構造が前記第二最良実施例と異なる点は、本考案の第三最良実施例の手ぶれ防止レンズモジュール構造１ｂは、閉鎖ループモード(II)である。其の中、該第二センサー２２ａを別の一つの該駆動コイル１７ｃの中央の空洞部分に設置し、且つ該回路ループ１８１の該制御ユニット１８３と電気接続し、且つ該第一センサー２１の対辺に位置する。同様に該第一、第二センサー２１、２２ａは更に該可動部１３がＺ軸での位置を検出することができる。
【００３１】
上記をまとめると、本考案の手ぶれ防止レンズモジュール構造の、該手ぶれ防止レンズモジュール構造１に定義するのは、互いに垂直する一つのＸ軸、一つのＹ軸及び一つのＺ軸方向であり、且つ含むのは一つの蓋板１１、一つのベース台１２、一つの可動部１３、一つの弾性部品１４、四組の上端磁石１５（１５ａ〜１５ｄ）、四組の下端磁石１６(１６ａ〜１６ｄ)、四組の駆動コイル１７(１７ａ〜１７ｄ)、一つの回路基板１８及び一つのケース本体１９である。
【００３２】
該蓋板１１に一つの穴１１１を具有する。該ベース台１２は該蓋板１１を該ベース台１２の上に結合するためのものであり、且つ中央部分に一つの収納スペース１２１を形成する。該可動部１３の中に、一つの撮像光軸９を定義し、且つ該撮像光軸９と該Ｚ軸が平行し、且つ該穴１１１を通じて映像のキャプチャを行う。該弾性部品１４を該可動部１３の外回りの中央部分に設置し、且つ該可動部１３を弾性的に該収納スペース１２１の中に咬合して固定する。
四組の上端磁石１５（１５ａ〜１５ｄ）は平均して該可動部１３の外回りに設け、且つ該弾性部品１４の上方部分に位置する。四組の下端磁石１６（１６ａ〜１６ｄ）は平均して該可動部１３の外回りに設け、且つ該弾性部品１４の下方部分に位置し、且つそれぞれ該上端磁石１５（１５ａ〜１５ｄ）と互いに二つずつ対応する。四組の駆動コイル１７(１７ａ〜１７ｄ)はそれぞれ対応する該複数の上/下端磁石１５ａ／１６ａ〜１５ｄ／１６ｄと互いに対応し、且つ平均して四辺形で互いに対応する方法で、該可動部１３の外回りに設ける。該回路基板１８に含まれる一つの回路ループ１８１は、それぞれ該四組の駆動コイル１７(１７ａ〜１７ｄ)と電気接続する。
【００３３】
該ケース本体１９は一つの穴１９１を具有し、且つ該蓋板１１と該ベース台１２を覆うほか、該貫通穴１９１と該穴１１１は互いに対応し、且つ同一の撮像光軸９の上に位置する。また、該撮像光軸９はＺ軸と平行する。
該可動部１３に含まれるのは一つのレンズ積載台１３１及び一つのレンズ１３２である。該レンズ１３２は該撮像光軸９の上に位置し、且つ該レンズ積載台１３１の中に設置する。
【００３４】
該回路基板１８を通じて四組の駆動コイルの電流量或いは方向を制御することで、該可動部１３の外回りに位置し、且つぞれぞれの弾性部品１４の上、下部分に設置する該複数の対応する上/下端磁石を制御して、傾斜角度の修正補償を行い、それにより手ぶれによる不良な映像の発生を無くすことができる。
この他、電流をインプットすることを介し、四組の駆動コイル１７（１７ａ〜１７ｄ）を制御し、間接的に四組の対応する上/下端磁石１５ａ／１６ａ〜１５ｄ／１６ｄを駆動し、該可動部１３を動かし、該弾性部品１４の制限を受け、Ｚ軸方向に呈して該収納スペース１２１の中で弾性可動を行う。つまりインプット電流を制御することを介し、該可動部１３の連続フォーカスの目的に達することができる。
【００３５】
以上の実施例による本考案の詳細な説明は、本考案の範囲を制限するものではない。本技術に熟知する者は、固定構造の変更などの適当な変更および調整を行うことができ、これらの変更および調整を行っても本考案の重要な意義は失われず、本考案の範囲に含まれる。本考案による手ぶれ防止レンズモジュールの構造を明確に示すために図に沿って詳細な説明を行う。
【符号の説明】
【００３６】
１、１ａ、１ｂ  手ぶれ防止レンズモジュール構造  
１１  蓋板  
１１１  穴
１１２  結合端  
１２  ベース台
１２１  収納スペース    
１２２  固定端
１３  可動部    
１３１  レンズ積載台
１３１１  上固定台  
１３１２  下固定台
１３１３  固定凸ブロック    
１３２  レンズ
１４  弾性部品  
１４１  弾性固定端
１５（１５ａ〜１５ｄ）  上端磁石
１６（１６ａ〜１６ｄ）  下端磁石
１７（１７ａ〜１７ｄ）  駆動コイル
１８  回路基板
１８１  回路ループ
１８２（１８２ａ〜１８２ｄ）  駆動器    
１８３  制御ユニット    
１９  ケース本体
１９１  貫通穴
２１  第一センサー
２２、２２a  第二センサー   
９  撮像光軸
１００  外部回路
【図１】
0003207632.tif 000003
【図２】
0003207632.tif 000004
【図３Ａ】
0003207632.tif 000005
【図３Ｂ】
0003207632.tif 000006
【図４】
0003207632.tif 000007
【図５】
0003207632.tif 000008
【図６】
0003207632.tif 000009
【図７Ａ】
0003207632.tif 000010
【図７Ｂ】
0003207632.tif 000011
【図８】
0003207632.tif 000012
【図９】
0003207632.tif 000013
【図１０】
0003207632.tif 000014
【図１１Ａ】
0003207632.tif 000015
【図１１Ｂ】
0003207632.tif 000016
【図１２】
0003207632.tif 000017
【手続補正書】
【提出日】平成28年9月20日(2016.9.20)
【手続補正１】
【補正対象書類名】実用新案登録請求の範囲
【補正対象項目名】全文
【補正方法】変更
【補正の内容】
【実用新案登録請求の範囲】
【請求項１】
一つの蓋板、一つのベース台、一つの可動部、一つの弾性部品、四組の上端磁石、四組の下端磁石、四組の駆動コイル、一つの回路基板を含み、
該蓋板は一つの穴を具有し、
該ベース台は該蓋板を該ベース台の上に結合させるものであり、且つ中央部分に一つの収納スペースを形成し、
該可動部の中に一つの撮像光軸を定義し、且つ該撮像光軸とＺ軸は平行であり、且つ該穴を通じて映像のキャプチャを行い、
該弾性部品を該可動部の外回りの中央部分に設置し、且つ該可動部を該収納スペースの中に弾性的に咬合して固定し、
該四組の上端磁石は平均して該可動部の外回りに設置し、且つ該弾性部品の上方部に位置し、
該四組の下端磁石は平均して該可動部の外回りに設置し、且つ該弾性部品の下方部に位置し、且つそれぞれ該上端磁石と二つ二つ互いに対応し、
該四組の駆動コイルはそれぞれ該上/下端磁石と相互に対応し、且つ平均して四辺形と互いに対応する方法で、該可動部の外回りに設け、及び、
該回路基板に含まれるのは一つの回路ループであり、且つそれぞれ該四組の駆動コイルと電気接続することを特徴とする手ぶれ防止レンズモジュールの構造。
【請求項２】
前記可動部に含まれるのは、一つのレンズ積載台及び一つのレンズであり、其の中、該レンズは該撮像光軸の上に位置し、且つ該レンズ積載台の中に設置することを特徴とする請求項１記載の手ぶれ防止レンズモジュールの構造。
【請求項３】
前記手ぶれ防止レンズモジュールの構造には更に一つのケース本体を含み、該ケース本体は一つの貫通穴を具有し、且つ該蓋板と該ベース台を覆うほか、且つ該貫通穴と該穴は互いに対応し、且つ同一の撮像光軸の上に位置することを特徴とする請求項１記載の手ぶれ防止レンズモジュールの構造。
【請求項４】
前記該可動部の外回りに設置し、且つそれぞれ該弾性部品の上下方に位置する該複数の上端磁石及び該複数の下端磁石の極性がちょうど反対であり、且つ該複数の上端磁石及び複数の下端磁石のそれぞれ左右となりの磁石の排列は反対であることを特徴とする請求項１記載の手ぶれ防止レンズモジュールの構造。
【請求項５】
前記レンズ積載台の外回りに含まれるのは、四組の上固定台、四組の下固定台及び少なくとも一つの固定凸ブロックであり、其の中、四組の上固定台はそれぞれ四組の下固定台と相互対応且つ該レンズ積載台の外回りに設け、それぞれ該上端磁石及び該下端磁石を固定するために用い、其の中、該固定凸ブロックは該弾性部品を固定するために用いることを特徴とする請求項２記載の手ぶれ防止レンズモジュールの構造。
【請求項６】
前記固定凸ブロックは四組でそれぞれ該上固定台と下固定台の中央部分に位置することを特徴とする請求項５記載の手ぶれ防止レンズモジュールの構造。
【請求項７】
前記回路ループが更に含むのは四組の駆動器、及び一つの制御ユニットであり、其の中、四組の駆動器はそれぞれ四組の駆動コイルを接続し、そして更に別々に該制御ユニットに電気接続し、該制御ユニットを通じて、それぞれ該四組の駆動コイルに電流を制御提供することができ、少なくともそれぞれ対応する該四組の上端磁石と該四組の下端磁石を制御することを介し、Ｘ軸及びＹ軸の傾斜角度の修正を行うことを特徴とする請求項１記載の手ぶれ防止レンズモジュールの構造。
【請求項８】
更に第一センサー及び第二センサーを含み、
該第一センサーは該複数の駆動コイルの中の一つの中央空洞部分に設置し、且つ該回路ループの該制御ユニットと電気接続し、及び、
該第二センサーは別の該駆動コイルの中央空洞部分に設置し、且つ該回路ループの該制御ユニットと電気接続し、且つ該第一センサーの隣辺に位置することを特徴とする請求項７記載の手ぶれ防止レンズモジュールの構造。
【請求項９】
更に第一センサー及び第二センサーを含み、
該第一センサーは該複数の駆動コイルの中の一つの中央空洞部分に設置し、且つ該回路ループの該制御ユニットと電気接続し、及び、
該第二センサーは別の該駆動コイルの中央空洞部分に設置し、且つ該回路ループの該制御ユニットと電気接続し、且つ該第一センサーの対辺に位置することを特徴とする請求項７記載の手ぶれ防止レンズモジュールの構造。
【請求項１０】
前記回路ループは一つの外部回路を通じて該制御ユニットにまで電気接続し、且つそれぞれ四組の駆動コイルの電流の量及び方向を制御し、其の中、該外部回路は携帯電話、タブレット及びノート型パソコンのうちの一つとすることができることを特徴とする請求項７記載の手ぶれ防止レンズモジュールの構造。
【手続補正２】
【補正対象書類名】明細書
【補正対象項目名】０００８
【補正方法】変更
【補正の内容】
【０００８】
該蓋板に一つの穴を具有する。該ベース台は該蓋板を該ベース台の上に結合させるものであり、且つ中央部分に一つの収納スペースを形成する。該可動部の中に一つの撮像光軸を定義し、且つ該撮像光軸とＺ軸は平行であり、且つ該穴を通じて映像のキャプチャを行う。該弾性部品を該可動部の外回りの中央部分に設置し、且つ該可動部を弾性的に該収納スペースの中に咬合して固定する。
該四組の上端磁石は平均して該可動部の外回りに設置し、且つ該弾性部品の上方部に位置する。該四組の下端磁石は平均して該可動部の外回りに設置し、且つ該弾性部品の下方部に位置し、且つそれぞれ該上端磁石と二つ二つ互いに対応する。該四組の駆動コイルはそれぞれ該上/下端磁石と相互に対応し、且つ平均して四辺形と互いに対応する方法で、該可動部の外回りに設ける。
該回路基板に含まれるのは一つの回路ループであり、且つそれぞれ該四組の駆動コイルと電気接続する。該可動部に含まれるのは、一つのレンズ積載台及び一つのレンズである。該レンズは該撮像光軸の上に位置し、且つ該レンズ積載台の中に設置する。